(57)【特許請求の範囲】
【請求項１】
有底筒状の内容物収容部を備えるレフィル用の内容器と、有底筒状の内容器収納部を備える外容器と、前記内容器と前記外容器との間に配置される中間部材とを備え、
前記中間部材は、前記外容器の側壁部の内側に前記外容器に対して上下動可能に配置される筒状壁と、該筒状壁の下端部に設けたヒンジ部を介して連なり内側に湾曲しながら前記外容器の底壁部の上方に延びる少なくとも１つの押し上げ片とを有し、
前記内容器の交換に際し、前記外容器に対して前記筒状壁を押し下げることにより、前記押し上げ片が前記外容器の底壁部に当接して前記ヒンジ部を支点に内側に回動し、該押し上げ片の先端部分が前記内容器の底面を押し上げて前記内容器が上方へ移動するよう構成されており、
前記中間部材は、前記筒状壁の上端部から径方向外側に延びるフランジ部と、該フランジ部の外周縁に垂設され、前記外容器の口部の外周面に設けた凹部に嵌り込む係合片とを有し、
前記係合片の内面には、前記凹部に設けた外向き凸部に嵌合して、前記外容器からの前記中間部材の抜け出しを妨げる内向き凸部が設けられていることを特徴とする二重容器。
【請求項２】
前記中間部材と前記内容器との間には、前記内容器を前記中間部材の内側に挿入した際に互いに乗り越え嵌合することで前記内容器の抜け出しを妨げる嵌合部が設けられている、請求項１に記載の二重容器。
【請求項３】
前記中間部材が、前記筒状壁の周方向に間隔をあけて配置された複数の前記押し上げ片を有する、請求項１又は２に記載の二重容器。
【発明の詳細な説明】
【技術分野】
【０００１】
本発明は、レフィル（詰め替え）用の内容器と外容器とを備える二重容器に関し、特には、内容器の交換を容易化すると共に容器の外観設計の自由度を向上しようとするものである。
【背景技術】
【０００２】
従来、クリーム等の内容物を収容する容器として、内容物のレフィル用の内容器と外容器とを備える二重容器が知られている。このような二重容器では、内容器の交換に際し、内容器を外容器から取外す必要があるが、その取外しの要領としては、例えば、内容器を摘み引き上げる、外容器本体底部に内容器を押し上げるための貫通孔を設ける、コイン等を用い抉じ開ける、といったものが考えられる。また、例えば特許文献１では、内容器に押圧操作により回動可能な押圧部を設け、外容器には、該押圧部を露出させる切欠き部を設けると共に該押圧部が係止可能な被係止部を設けている。
【先行技術文献】
【特許文献】
【０００３】
【特許文献１】特開２０１０−１９５４８４号公報
【発明の概要】
【発明が解決しようとする課題】
【０００４】
しかしながら、前記したような内容器の取外し要領を採用する場合には、内容器を取外すのに比較的大きな力が必要となったり、貫通孔や切欠き部を設けるために容器の外観設計上の制約を生じたりするといった問題がある。また交換の要領を分かり易く、特に高齢者にとって使い易いものとすることも望まれる。
【０００５】
それゆえ、本発明は、内容器の交換を容易化すると共に容器の外観設計の自由度を向上することができる二重容器を提供することを目的とする。
【課題を解決するための手段】
【０００６】
本発明は上記課題を解決するためになされものであり、本発明の二重容器は、有底筒状の内容物収容部を備えるレフィル用の内容器と、有底筒状の内容器収納部を備える外容器と、前記内容器と前記外容器との間に配置される中間部材とを備え、
前記中間部材は、前記外容器の側壁部の内側に前記外容器に対して上下動可能に配置される筒状壁と、該筒状壁の下端部に設けたヒンジ部を介して連なり内側に湾曲しながら前記外容器の底壁部の上方に延びる少なくとも１つの押し上げ片とを有し、
前記内容器の交換に際し、前記外容器に対して前記筒状壁を押し下げることにより、前記押し上げ片が前記外容器の底壁部に当接して前記ヒンジ部を支点に内側に回動し、該押し上げ片の先端部分が前記内容器の底面を押し上げて前記内容器が上方へ移動することを特徴とする。
【０００７】
なお、本発明の二重容器にあっては、前記中間部材と前記内容器との間には、前記内容器を前記中間部材の内側に挿入した際に互いに乗り越え嵌合することで前記内容器の抜け出しを妨げる嵌合部が設けられていることが好ましい。
【０００８】
また、本発明の二重容器にあっては、前記中間部材が、前記筒状壁の周方向に間隔をあけて配置された複数の前記押し上げ片を有することが好ましい。
【０００９】
なお、本発明の二重容器にあっては、前記外容器と前記中間部材との間には、前記中間部材の抜け出しを妨げる嵌合保持部が設けられていることが好ましい。
【発明の効果】
【００１０】
本発明によれば、内容器の交換に際し、外容器と内容器の間に設けられた中間部材の筒状壁を押し下げるだけで、内容器が上方へ移動するため、比較的小さな力で内容器を容易に取外すことができる。また、内容器を取外すために、内容器を押圧するための貫通孔や切欠き部を外容器に設ける必要もない。
【００１１】
したがって、本発明によれば、内容器の交換を容易化すると共に容器の外観設計の自由度を向上することができる二重容器を提供することができる。
【図面の簡単な説明】
【００１２】
【図１】本発明の一実施形態に係る二重容器の一部断面側面図であり、内容物を使い切った状態を示す。
【図２】図１の二重容器のための新たな内容器を示す一部断面側面図であり、内容器キャップが装着されている状態を示す。
【図３】（ａ）は、図１の二重容器における外容器キャップと内容器を取外した状態を示す平面図であり、（ｂ）は図１の二重容器における外容器キャップを取外した状態を示す一部断面側面図である。
【図４】図１の二重容器における内容器の交換要領を説明するための一部断面側面図であり、（ａ）は図３（ｂ）の状態から中間部材を押し下げた状態を示し、（ｂ）は（ａ）の状態からさらに内容器を引き上げた状態を示す。
【図５】図１の二重容器における内容器の交換要領を説明するための一部断面側面図であり、（ａ）は図４（ｂ）の状態からさらに図２の新たな内容器を外容器内に挿入した状態を示し、（ｂ）は新たな内容器の挿入が完了した状態を示す。
【発明を実施するための形態】
【００１３】
以下、図１〜図５を参照して、本発明の一実施形態に係る二重容器１について詳細に例示説明する。なお、本明細書において、上下方向とは、内容器１０及び外容器２０の中心軸線Ｏに沿う方向を意味し、上方とは内容器１０の内容物収容部１１の開口部１２が位置する側（例えば、図１における上方）、下方とは内容物収容部１１の底壁部１４が位置する側（例えば、図１における下方）を意味するものとする。また、図３（ｂ）、図４（ａ）、（ｂ）、及び図５（ａ）、（ｂ）において、左側の半図は、後述する中間部材３０の係合片３５を設けた方向から見た側面図であり、右側の半図は、係合片３５の中央を通る断面で切断した断面図を示している。
【００１４】
図１に示すように、本実施形態に係る二重容器１は、レフィル用の内容器１０と、外容器２０と、中間部材３０と、外容器キャップ４０とを備えている。
【００１５】
内容器１０は、軸線Ｏを中心とする有底筒状の内容物収容部１１を備えている。すなわち、内容物収容部１１は、その上部に開口部１２を形成すると共に、周壁部１３及び底壁部１４とを有する。周壁部１３の外周面上部には、環状の外向き凸部１５（嵌合部）が設けられている。また、周壁部１３の上端部には、径方向外側に延びる円環状のフランジ部１６が設けられている。
【００１６】
また、内容器１０は、未使用の状態では、図２に示すように、内容器キャップ５０が装着されることで内容物収容部１１の開口部１２が閉塞され、クリーム等の内容物Ｃの品質が維持されるようになっている。内容器キャップ５０は、円板状の天壁部５１と、天壁部５１の外縁部から垂下する円筒状の外壁部５２とを備えている。また、内容器キャップ５０は、外壁部５２の内側で天壁部５１の下面から垂下して周壁部１３の内面に当接する封止筒５３を備えている。外壁部５２の内面には、内容器１０のフランジ部１６に嵌合する環状凸部５４が設けられている。また、外壁部５２の下端部には、外側に延びるフランジ５５が設けられている。なお、内容器キャップ５０の構成は、特に限定されるものではなく、開口部１２を塞いでクリーム等の内容物Ｃの品質が維持されるようになっていれば任意の構造のキャップを用いることができ、周壁部１３の上面に剥離可能に貼着されたシール部材とすることも可能である。
【００１７】
外容器２０は、図１に示すように、内容器１０を収容可能な軸線Ｏを中心とする有底筒状の内容器収納部２１を備えている。すなわち、内容器収納部２１は、その上部に開口部２２を形成すると共に、側壁部２３及び底壁部２４とを有する。側壁部２３の上端部には、外周面に雄ねじ部２５を設けた小径の口部２６が設けられている。口部２６の外周面には、後述する中間部材３０の係合片３５が嵌り込む凹部２７が、対向配置で２箇所に設けられている。また凹部２７には、後述する係合片３５の内向き凸部３６（嵌合保持部）に嵌合して中間部材３０を抜け止め保持するための外向き凸部２８（嵌合保持部）が設けられている。
【００１８】
中間部材３０は、内容器１０と外容器２０との間に配置され、また、外容器２０に対して上下動可能に取付けられている。中間部材３０は、外容器２０の側壁部２３の内側に配置される筒状壁３１と、筒状壁３１の下端部に設けた薄肉状のヒンジ部３２を介して連なる押し上げ片３３とを有する。押し上げ片３３は、ヒンジ部３２から下方に延び、内側に湾曲する湾曲部３３ａを介して径方向内側に向かって延びて、先端部分３３ｂは外容器２０の底壁部２４の上方かつ内容器１０の底壁部１４の下方に配置される。
【００１９】
ここで図３（ａ）は、図１に示す状態の二重容器１から外容器キャップ４０及び内容器１０を取外した状態を表す平面図である。図示のように、本実施形態の中間部材３０には、筒状壁３１の周方向に沿って、間隔をあけて均等配置された８個の押し上げ片３３が設けられている。押し上げ片３３は、少なくとも１つあればよいが、周方向に均等配置で複数設けられていることが好ましい。
【００２０】
筒状壁３１の上端部には、径方向外側に延びる円環状のフランジ部３４が設けられている。フランジ部３４の外周縁には、上記凹部２７に嵌り込む係合片３５が垂設されている。係合片３５の内面には、内向き凸部３６が設けられている。また、筒状壁３１の上端部内周面には、外向き凸部１５（嵌合部）に嵌合する内向き凸部３７（嵌合部）が設けられており、フランジ部３４の上面には、内容器１０のフランジ部１６が配置される環状凹部３８が設けられている。
【００２１】
外容器キャップ４０は、図１に示すように、円筒状の外壁部４１と、外壁部４１の上端部を閉塞するドーム状の天壁部４２とを備えている。外壁部４１の内周面には、前述した雄ねじ部２５と螺合する雌ねじ部４３が設けられている。天壁部４２の下面には、円板状のパッキン４４が貼着されており、内容器１０のフランジ部１６の上面に形成された円環状のシール突起１６ａとパッキン４４とが密接することで、内容物収容部１１が密封されるようになっている。なお、天壁部４２はドーム状に限らず、平面状又は凹面状など、任意の形状であってもよい。また、本実施例ではパッキン４４を貼着にて組付けているが、これに限られるものではなく、外容器キャップ４０の外壁部４１内周面に凸部を設け、乗越えることで組付けるなど、パッキン４４が脱落しない程度に組付けられていればよく、その組付け方法は適宜選択可能である。
【００２２】
かかる構成になる二重容器１によれば、内容物Ｃを使い切った際などに、以下の要領で内容器１０を新たな内容器１０と交換することができる。すなわち、まず、図１の状態から外容器キャップ４０を取外し図３（ｂ）に示す状態にする。そして、図４（ａ）に示すように、中間部材３０のフランジ部３４を下方に押し下げると、外容器２０に対して筒状壁３１が下方に移動し、押し上げ片３３が外容器２０の底壁部２４上面に当接して、ヒンジ部３２を支点に内側に回動する。その結果、押し上げ片３３の先端部分３３ｂが内容器１０の底壁部１４の底面を押し上げて、内容器１０が上方へ移動する。この時、外向き凸部１５と内向き凸部３７との嵌合が解除されるため、あとは図４（ｂ）に示すように、上方へ移動した内容器１０をさらに引き出すだけで、内容器１０を外容器２０から取外し、そのままの状態で破棄することができる。このようにして内容器１０を取外した後は、図２に示したような新たな内容器１０から内容器キャップ５０を取外し、図５（ａ）に示すように、新たな内容器１０を外容器２０内の中間部材３０の内側に挿入していく。新たな内容器１０を押し込んでいくと、内容器１０の底壁部１４底面によって、押し上げ片３３の先端部分３３ｂが押し下げられ、押し上げ片３３がヒンジ部３２を支点に外側に回動する。これに伴い、下方位置にあった中間部材３０は、上方に移動していき再び押し下げ可能な状態となり、図５（ｂ）に示す状態まで内容器１０を押し込むことで、内容器１０の交換が完了する。この時、外向き凸部１５と内向き凸部３７とが互いに乗り越え嵌合することで内容器１０の抜け出しを妨げることができる。本実施形態においては、図５（ｂ）に示すように、中間部材３０のフランジ部３４の環状凹部３８上面に、内容器１０のフランジ部１６下面が当接する。
【００２３】
以上説明したように、本実施形態に係る二重容器１は、レフィル用の内容器１０と、外容器２０との間に、外容器２０の側壁部２３の内側に配置される筒状壁３１と、筒状壁３１の下端部に設けたヒンジ部３２を介して連なる押し上げ片３３とを有する中間部材３０を設け、中間部材３０のフランジ部３４を介して筒状壁３１を押し下げるだけで、押し上げ片３３の先端部分３３ｂが内容器１０の底壁部１４の底面を、下方から押し上げる構成になっている。したがって、内容器１０の交換に際し、中間部材３０のフランジ部３４を押し下げるだけで、容易に内容器１０を取外すことができる。また、使用済みの内容器１０を取外した後で、新たな内容器１０を中間部材３０の内側に押し込む操作のみで内容器１０の取り付けが完了し、同時に中間部材３０が上方位置に移動して押し下げ可能となるため、一度押し下げた中間部材３０を上方に引き上げる作業が不要となる。
【００２４】
また、内容器１０を取外すために、内容器１０を押圧するための貫通孔や切欠き部を外容器２０に設ける必要もない。したがって、本実施形態によれば、内容器１０の交換を容易化すると共に容器の外観設計の自由度を向上することができる。
【００２５】
また、本実施形態に係る二重容器１では、内容器１０に設けた外向き凸部１５と中間部材３０に設けた内向き凸部３７とが、内容器１０を中間部材３０の内側に挿入した際に互いに乗り越え嵌合して、内容器１０の抜け出しを妨げる構成により、外容器キャップ４０を外した状態（図３（ｂ）の状態）において内容器１０が脱落することを防止することができる。
【００２６】
また、本実施形態に係る二重容器１では、複数の押し上げ片３３を周方向に均等配置したことにより、内容器１０の底壁部１４を上方に向けて真っ直ぐに押し上げることができ、内容器１０の取外しがさらに容易となる。
ことができる。
【００２７】
前述したところは、本発明の一実施形態を示したにすぎず、特許請求の範囲において、種々の変更を加えることができる。例えば、先の実施形態では外容器２０と外容器キャップ４０とがねじ係合する構成としたが、これに限定されず、着脱可能にアンダーカット係合する構成とすることも可能である。
【符号の説明】
【００２８】
１  二重容器
１０  内容器
１１  内容物収容部
１２  開口部
１３  周壁部
１４  底壁部
１５  外向き凸部（嵌合部）
１６  フランジ部
１６ａ  シール突起
２０  外容器
２１  内容器収納部
２２  開口部
２３  側壁部
２４  底壁部
２５  雄ねじ部
２６  口部
２７  凹部
２８  外向き凸部（嵌合保持部）
３０  中間部材
３１  筒状壁
３２  ヒンジ部
３３  押し上げ片
３３ａ  湾曲部
３３ｂ  先端部分
３４  フランジ部
３５  係合片
３６  内向き凸部（嵌合保持部）
３７  内向き凸部（嵌合部）
３８  環状凹部
４０  外容器キャップ
４１  外壁部
４２  天壁部
４３  雌ねじ部
４４  パッキン
５０  内容器キャップ
５１  天壁部
５２  外壁部
５３  封止筒
５４  環状凸部
５５  フランジ
Ｏ  軸線
Ｃ  内容物
【図１】
0006509044.tif 000002
【図２】
0006509044.tif 000003
【図３】
0006509044.tif 000004
【図４】
0006509044.tif 000005
【図５】
0006509044.tif 000006